(57)【要約】  １つまたは複数の農作物に物質を散布するための物質供給システム（１００）および方法が開示される。センサー、または農作物検知ヘッド（１０４）が前記農作物の上をまたは近辺を動き、農作物データを取得する。散布器（１０６）は、（複数の）農作物上に物質を散布するように構成される。散布器制御器（１０５）は、散布器（１０６）を制御することができる。物質供給車両（１０２）は、物質供給車両（１０２）を制御するように構成される供給車両制御器（１２８）および供給車両制御器（１２８）、散布器制御器（１０５）、およびセンサー（１０４）と通信する農業制御器（１３２）とを有する。この農業制御器（１３２）は、農作物の必要量を求め、農作物の必要量に基づいて供給車両（１０２）の動きを調整することができる。
2010517567.tif 000002
【特許請求の範囲】
【請求項１】
田畑内の農作物に物質を散布するように構成される装置であって、
前記田畑を横切って動くように構成される供給車両と、
農作物データを取得するように構成されるセンサーと、
前記供給車両の動きを自動的に制御するように構成される供給車両制御器と、
前記農作物データに基づいて前記農作物の必要量を求めるように構成され、かつ前記農作物の前記必要量に基づいて前記供給車両の前記動きを調整するように前記供給車両制御器に動き命令を伝達するように構成される農業制御器とを備える、装置。
【請求項２】
前記農業制御器および物質散布器と通信し、かつ前記物質散布器を制御するように構成される散布器制御器をさらに備える、請求項１に記載の装置。
【請求項３】
前記動き命令が、前記散布器制御器から受け取る散布器データにさらに基づく、請求項２に記載の装置。
【請求項４】
前記農業制御器が、前記農作物データを記録するように構成されるデータロガーをさらに備える、請求項１に記載の装置。
【請求項５】
前記農業制御器が、前記物質の散布を最適化するように構成される物質散布器最適化エンジンをさらに備える、請求項１に記載の装置。
【請求項６】
前記供給車両制御器が、全地球測位衛星受信機、ハンドル操作制御器、エンジン制御ユニット（ＥＣＵ）、連結装置制御器、変速装置制御器、ブーム水平化センサー、および環境センサーのうちの少なくとも１つをさらに備える、請求項１に記載の装置。
【請求項７】
前記供給車両が配置される地形の傾斜を求めるように構成される傾斜センサーをさらに備える、請求項１に記載の装置。
【請求項８】
第２の農業制御器および第２の供給車両制御器を備える第２の供給車両をさらに備え、前記第２の農業制御器が前記農業制御器および前記第２の供給車両制御器と通信しかつ前記農作物の前記必要量に基づいて前記第２の供給車両の動きを調整するように、前記第２の供給車両制御器に動き命令を伝達するように構成される、請求項１に記載の装置。
【請求項９】
田畑を横切って動くように構成される供給車両を備える、前記田畑内の農作物に対する物質のリアルタイム散布のための供給システムの動作方法であって、
前記供給車両の動きの間に農作物データを検知することと、
前記農作物データから前記農作物の必要量を求めることと、
前記農作物の前記必要量に基づいて前記供給車両の前記動きを制御することとを含む、方法。
【請求項１０】
前記動きの前記制御が、前記供給車両に所定の経路をたどらせるために、前記供給車両と通信する供給車両制御器に動き命令を伝達することをさらに含む、請求項９に記載の方法。
【請求項１１】
前記動きの前記制御が、前記供給車両の変速装置システム内のギア設定を調整することをさらに含む、請求項９に記載の方法。
【請求項１２】
ギアの前記調整が、前記供給車両の位置の傾斜に対して燃料消費量を最小限にするように前記ギアを調整することをさらに含む、請求項１１に記載の方法。
【請求項１３】
ギアの前記調整が、前記供給車両の速度に対し燃料消費量を最小限にするように前記ギアを調整することをさらに含む、請求項１２に記載の方法。
【請求項１４】
前記供給車両の前記動きの前記制御が、前記供給車両の速度を調整することをさらに含む、請求項９に記載の方法。
【請求項１５】
前記供給車両の前記速度調整が、前記物質の所望の散布量が現行の速度での最小限の散布量より少ないとき、速度を増加させることをさらに含む、請求項１４に記載の方法。
【請求項１６】
前記供給車両の前記速度調整が、前記物質の所望の散布量が現行の速度での最大限の散布量より大きいとき、速度を減少させることをさらに含む、請求項１４に記載の方法。
【請求項１７】
前記供給車両の前記動きの前記制御が、前記供給車両の方向を調整することをさらに含む、請求項９に記載の方法。
【請求項１８】
田畑を横切って動くように構成される供給車両を備える、前記田畑内の農作物に対する物質のリアルタイム散布のための装置であって、
前記供給車両の動きの間に農作物データを検知する手段と、
前記農作物データから前記農作物の必要量を求める手段と、
前記農作物の前記必要量に基づいて前記供給車両の前記動きを制御する手段とを備える、装置。
【請求項１９】
前記動きを制御するための前記手段が、前記供給車両を所定の経路に従わせるように前記供給車両と通信する供給車両制御器に動き命令を伝達するための手段をさらに備える、請求項１８に記載の装置。
【請求項２０】
前記動きを制御する前記手段が、変速装置システム内のギア設定を調整する手段をさらに備える、請求項１８に記載の装置。
【請求項２１】
ギアを調整するための前記手段が、位置の傾斜に対して燃料消費量を最小限にするように前記ギアを調整するための手段をさらに備える、請求項２０に記載の装置。
【請求項２２】
ギアを調整するための前記手段が、速度に対して燃料消費量を最小限にするように前記ギアを調整するための手段をさらに備える、請求項２０に記載の装置。
【請求項２３】
前記動きを制御するための前記手段が、前記供給車両の速度を調整するための手段をさらに備える、請求項１８に記載の装置。
【請求項２４】
前記供給車両の速度を調整するための前記手段が、前記物質の所望の散布量が現行の速度での最大散布量より大きいとき、減速させるための手段をさらに備える、請求項２３に記載の装置。
【請求項２５】
前記供給車両の速度を調整するための前記手段が、前記物質の所望の散布量が現行の速度での最小散布量より少ないとき、増速させるための手段をさらに備える、請求項２３に記載の装置。
【発明の詳細な説明】
【技術分野】
【０００１】
本出願は、参照により本明細書に組み込まれている、２００７年２月９日出願の米国特許仮出願第６０／９００，４１０号の利益を主張する。
【０００２】
本発明は一般に、肥料および化学薬品などの物質を農作物に散布することに関し、より詳しくは、それらの農作物にそれらの物質を散布するために使用される自動機械および方法に関する。
【背景技術】
【０００３】
農業従事者は、天然および／または合成の物質を彼らの農作物に散布する。この物質（例えば、肥料、種、栄養物、水、化学薬品、等）は通常田畑（すなわち、領域）全域に単一の均一な散布量で散布される。物質に対する最適な散布量の決定は、しばしばａ）土壌サンプルの分析、ｂ）農作物が成長するときの現実の農作物の斥候活動、ｃ）成長している農作物の組織または葉のサンプルの破壊分析、またはｄ）同じ田畑内に植えられ、農作物の必要を超えているのが知られている量で施肥された農作物の「基準帯」に対する比較分析に頼っている。これらの技術は、田畑のある領域での過剰散布または物質の過剰使用に、かつ他の領域での過小散布および対応する物質の不足に結果としてなってきている。両方の場合とも、しばしば時間と金の損失に結果としてなり、取り返しのつかない害を引き起こす恐れがある。
【０００４】
物質を均一な量で散布する代わりに、物質は対象となる田畑または領域内で変化する量または多数の、所定の量で散布することもできる。物質をこの方式で散布するシステムは、田畑の特定の領域に散布するべき物質の最適な量を求めるために通常伝統的な方法を使用する。物質のための適切な散布量を求めるためのこれらの技術は、しばしば実績データベースまたは他の基準と並行して様々な反射率ベースの技術を使用してきている。その上、様々な反射率ベースのセンサーが、この取り組みで診断用具として使用されてきている。
【０００５】
物質は自動化された方式でも散布することができる。例えば、農作物の田畑の周りを走行し、物質を農作物上に散布する（例えば、噴射するまたは広げる）自動機械を使用して物質を散布することができる。ある量の物質を農作物上に散布するために、システムは従来、自動機械（例えば、トラクター）上のまたは自動機械に取り付けられた１つまたは複数の散布器（例えば、噴霧器バルブおよび／またはスプレッダー・バルブ）を制御する。
【０００６】
１つまたは複数の散布器を制御するにも関わらず、現行のシステムおよび技術は、正しい量の物質を農作物に供給するのに問題点に遭遇している。具体的には、物質を供給する散布器（例えば、バルブ）を制御する制御器は、通常散布器のみしか制御しない。田畑に沿って動く車両（例えば、トラクター）は、例えば、田畑または領域のレイアウトに応じて変化する場合のある特定の速度で動く。この車両は、車両が新たな農作物に肥料を与えるために転回しなければならないときなど、方向を変える場合もある。
【先行技術文献】
【特許文献】
【０００７】
【特許文献１】米国特許仮出願第６０／９００，４１０号
【発明の概要】
【発明が解決しようとする課題】
【０００８】
従来技術では、車両が速度または方向を変えるとき、散布器が農作物に散布するようにプログラムされた物質の正しい量を農作物が受け取らない可能性がある。したがって、農作物により正確に物質を散布するために、車両の動きに対応するデータを農作物の必要に対応するデータと一体化させる必要がある。
【課題を解決するための手段】
【０００９】
本発明の一態様によれば、田畑内の農作物に物質を散布するように構成される装置は、田畑を横切って（すなわち、横切って、沿って、周りを、等）動くように構成される供給車両と、農作物データを取得するように構成されるセンサーとを含む。この装置は、供給車両の動きを自動的に制御するように構成される供給車両制御器と、農作物データに基づいて農作物の必要量を判定するように構成されかつ農作物の必要量に基づいて供給車両の動きを調整するように供給車両制御器に動き命令を伝達するようにも構成される農業制御器とを備える。
【００１０】
この装置は、農業制御器および物質散布器（例えば、スプレッダー・バルブおよび／または噴霧器バルブ）と通信する散布器制御器も含む。この散布器制御器は、物質散布器を制御するように構成される。さらに動き命令は、散布器制御器から受け取る散布器データに基づくことができる。農業制御器は、農作物データ（および／または散布器データ）を記録するデータロガーも含むことができる。
【００１１】
一実施形態では、互いに（例えば、ピアツーピアの関係でまたはマスター／スレーブの関係で）通信するいくつかの供給車両が存在する。例えば、第２の供給車両は第２の農業制御器および第２の供給車両制御器を含むことができる。この第２の農業制御器は、農業制御器および第２の供給車両制御器と通信し、かつ農作物の必要量に基づいて第２の供給車両の動きを調整するように、第２の供給車両制御器に動き命令を伝達するように構成することができる。
【００１２】
本発明の別の態様では、農作物に対する物質のリアルタイム散布用の供給システムの動作方法は、農作物データを検知すること、農作物データから農作物の必要量を求めること、農作物の必要量に基づいて供給システムの動きを制御することを含む。動きを制御することは、（供給システムの一部をなす）供給車両を制御する供給車両制御器に動き命令を伝達することによって起こさせることができる。
【００１３】
この動きの制御は、様々な結果を生じさせることができる。例えば、それは供給車両（したがって供給システム）の方向の変更、速度の変更、所定の経路に従うこと、および／または（例えば、供給車両の位置の傾斜に対して、または供給車両の速度に対して燃料消費量を最小限にするために）供給車両の変速装置システム内のギア設定の調整に結果としてなることができる。一実施形態では、供給車両の速度を調整は、物質の所望の散布量が現行速度での最大散布量より大きいとき供給車両を減速させる。他の実施形態では、供給車両の速度を調整することは、物質の所望の散布量が現行速度での最小散布量より少ないとき供給車両を増速させる。
【００１４】
本発明のこれらのおよび他の利点は、以下の詳細な説明および添付の図面を参照することによって当業者に明らかになるであろう。
【図面の簡単な説明】
【００１５】
【図１】本発明の一実施形態による、物質供給システムのブロック線図である。
【図２】本発明の一実施形態による、物質供給システムのより詳細なブロック線図である。
【図３】本発明の一実施形態による、物質供給システムによって実施されるステップの流れ図である。
【図４】本発明の一実施形態による、システムに対する最適経路を求めるために、物質供給システムによって実施されるステップの流れ図である。
【図５】本発明の一実施形態による、システムに対する最適ギアを求めるために、物質供給システムによって実施されるステップの流れ図である。
【図６】本発明の一実施形態による、最適量の物質を供給するために速度を調整するように、物質供給システムによって実施されるステップの流れ図である。
【図７】本発明の一実施形態による、物質供給システムが横断することができる３つのゾーンのブロック線図である。
【図８】本発明の一実施形態による、コンピュータの高レベル・ブロック線図である。
【発明を実施するための形態】
【００１６】
図１は、本発明の一実施形態による物質供給システム１００のブロック線図である。この物質供給システム１００は、農作物検知ヘッド１０４（すなわち、センサー）、（破線で示す）散布器制御器１０５、および（破線で示す）散布器１０６に連結される物質供給車両１０２を含む。この散布器１０６は、供給車両１０２に取り付けられる鋤の一部をなすことができる。別個の構成部品として示されているが、上記の構成部品（例えば、車両１０２、農作物検知ヘッド１０４、散布器制御器１０５、および／または散布器１０６）のうちの１つまたは複数は、単一のユニット内に組み合わせることができる。
【００１７】
物質供給車両１０２は、リアルタイムで田畑内の１つまたは複数の農作物（図示せず）に物質を散布するために田畑を横切って（すなわち、田畑に沿って、横切って、または周りを）動く機械である。この物質供給車両１０２は、トラクターなどの任意の型式の車両であることができる。図１の物質供給車両１０２は、矢印１０７で示す動きの方向に移動している。
【００１８】
物質供給車両１０２は、農作物検知ヘッド１０４および散布器１０６を通常押すまたは引っ張る。この農作物検知ヘッド１０４は、農作物の物質必要量を判定することができるセンサーである。物質供給車両１０２に連結される（または一部としての）１つの農作物検知ヘッドまたは多数の農作物検知ヘッドが存在することができる。一実施形態では、この農作物検知ヘッド１０４は、１つまたは複数の光源と窒素および水要求量、植物農作物高さ、等などの農作物の必要量を判定するための１つまたは複数の検出器を有する反射ベース・センサーである。この農作物検知ヘッド１０４は、昼の光の中でおよび／または夜に動作することができる場合がある。一実施形態では、この物質供給車両１０２は、最初に農作物の領域上を農作物検知ヘッド１０４を押しまたは引っ張り、次いで車両１０２が動きの方向１０７に沿って動くとき散布器１０６が農作物に物質を散布する。農作物検知ヘッド１０４が農作物を検知するときと散布器１０６が農作物に物質を散布するときとの間の時間間隔中に、農作物に散布されるであろう物質の量を求めかつ／または調整することができる。
【００１９】
この農作物検知ヘッド１０４は、検知ヘッド１０４が検知する異なる農作物に対して異なって構成することができる。一実施形態では、異なる農作物検知ヘッドが異なる農作物に対して使用される。農作物の例には、穀物、小麦、米、とうもろこし、メイズ、脂肪種子、キャノーラ、ジャガイモ、綿およびサトウキビが含まれる。
【００２０】
散布器１０６は、農作物に物質を物理的に散布する１つまたは複数の機器である。供給車両１０２は、散布器１０６に接続され、散布器１０６を物質で満たすのに使用される１つまたは複数の物質タンクを収容することができる。図示のように、散布器１０６は噴霧器バルブ１０８を含むことができる。この噴霧器バルブ１０８は農作物上への液体物質の流れを制御するバルブである。噴霧器バルブ１０８は、様々な時間および／または量で物質を外に噴霧するノズル（例えば、ノズル１１２および１１３）に接続することができる。
【００２１】
散布器制御器１０５は、噴霧器バルブ１０８を制御するための噴霧器バルブ制御器１１６を含むことができる。この散布器制御器１０５はマイクロプロセッサーを含み、噴霧器バルブ１０８の動作を制御する。例えば、この散布器制御器１０５は、１つまたは複数のノズルが農作物上に物質を噴霧する（複数の）量および／または（複数の）時間を調整することができる。散布器制御器１０５は、噴霧器バルブ１０８に対して外部または内部に置くことができる。
【００２２】
散布器１０６は、スプレッダー・バルブ１２０も含むことができる。このスプレッダー・バルブ１２０は、農作物上への粒状物質の流れを油圧的に制御するバルブである。このスプレッダー・バルブ１２０は、所与の量の時間中の農作物上への所定量の物質の流れを調節することができる。
【００２３】
散布器制御器１０５は、スプレッダー・バルブ１２０を制御するためのスプレッダー・バルブ制御器１２４を含むことができる。この散布器制御器１０５は、スプレッダー・バルブ１２０が物質を散布する（複数の）量および／または（複数の）時間を決定することができる。一実施形態では、この散布器制御器１０５（例えば、噴霧器バルブ制御器１１６および／またはスプレッダー・バルブ制御器１２４）は、農作物検知ヘッド１０４による農作物の検知前に、検知中に、あるいは検知後に調整することができる。この散布器制御器１０５は、スプレッダー・バルブ１２０に対し外部または内部に置くことができる。
【００２４】
物質供給車両１０２は、供給車両制御器１２８を含む。以下でより詳細に説明するように、この供給車両制御器１２８は、物質供給車両１０２の動きを制御する。例えば、この物質供給車両１０２は、自動的に（すなわち、供給車両１０２を走行させる人なしで）走行することができ、この供給車両制御器１２８は、供給車両１０２の速度、供給車両１０２の方向等を制御することができる。
【００２５】
この供給車両１０２は、農業制御器１３２も含む。制御器１０５、１２８および農作物検知ヘッド１０４は、農業制御器１３２と通信する。この通信は、（破線１４０、１４４、および１４８で示される）１つまたは複数の（無線または有線の）通信バスを介することができる。この農業制御器１３２は、農作物検知ヘッド１０４によって検知される農作物データに基づいた（かつ、一実施形態では、散布器制御器１０５からの散布器データに基づいた）農作物の必要性に対して、この物質供給車両１０２をどのように動かす（例えば、走行させる）かを決定するために、制御器１０５、１２８および農作物検知ヘッド１０４からの情報を統合する。供給車両制御器１２８、散布器制御器１０５、および農作物検知ヘッド１０４からの情報のこの統合化が、農作物への物質の最適な供給を可能にする。
【００２６】
農業制御器１３２は、供給車両１０２の動きを調整するために供給車両制御器１２８に１つまたは複数の動き命令を伝達するために、この情報を使用することができる。例えば、この農業制御器１３２は、制御器１０５、１２８および農作物検知ヘッド１０４から受け取る情報に基づいて、物質供給車両１０２をいつ転回させるかを決定することができ、かつ供給車両１０２の速度を調整することができる。制御器１０５、１２８および農作物検知ヘッド１０４からの情報のこの統合化が、例えば、供給車両が移動している地形のレイアウトおよび経路に関係なく、物質供給車両１０２が農作物に正しい量の物質を散布するのを可能にする。
【００２７】
図２は、本発明の一実施形態による、物質供給システム２００のより詳細なブロック線図を示す。この物質供給システム２００は、農業制御器２０８と通信する供給車両制御器２０４を有する物質供給車両２０２を含む。この供給車両制御器２０４は、物質供給車両２０２を制御するための様々な制御器を含む。
【００２８】
一実施形態では、この供給車両制御器２０４は、供給車両の位置を求めるための全地球測位衛星（ＧＰＳ）受信機２１２を含む。供給車両の方向を制御するためのハンドル操作制御器２１６が、このＧＰＳ受信機２１２と通信している。例えば、物質供給車両２０２が移動するための特定のコースを有する場合、このＧＰＳ受信機２１２およびハンドル操作制御器２１６が供給車両２０２をその目的地に案内しかつ導くために使用される。このＧＰＳ受信機２１２および／またはハンドル操作制御器２１６は、供給車両が配置される地形の傾斜を判定するための傾斜センサーも含むことができる。
【００２９】
この供給車両制御器２０４は、エンジン制御ユニット（ＥＣＵ）２２０も含むことができる。このＥＣＵは、車両エンジンの動作の様々な態様を制御する電子制御ユニットである。一実施形態では、このＥＣＵは、各エンジン・サイクルの各シリンダ内に噴射される燃料の量、点火タイミング、および他のエンジン・パラメータを制御する。ＥＣＵは、燃料の量、点火タイミング、および他のエンジン・パラメータを求めるための１つまたは複数のセンサーを含むことができる。
【００３０】
供給車両２０２は連結装置も含むことができる。この連結装置は、供給車両２０２が何かを持ち上げ何かを下に置くときに通常使用される。この連結装置は、供給車両の油圧システム、取り付け点、持ち上げアーム、およびスタビライザーを含む。この実施形態では、供給車両制御器２０４は連結装置制御器２２４を含む。一実施形態では、連結装置制御器２２４は、連結装置を制御するためにステッピング・モーターを使用する。
【００３１】
この供給車両制御器２０４は、変速装置制御器２２８も含むことができる。この変速装置制御器２２８は、供給車両の変速装置に供給される動力の量を調整することによって、物質供給車両２０２の速度を制御する。
【００３２】
供給車両制御器２０４は、ブーム水平化センサー２３２も含む。ブーム水平化センサー２３２は、散布器２３５と農作物の間の距離を調整する。
【００３３】
供給車両制御器２０４は、環境センサー２３６も含むことができる。この環境センサー２３６は、水蒸気、湿度、水質、風速および風向き、周囲温度、放射線（例えば、日光の放射線または紫外放射線）、煙、ダスト・センサー、および任意の他の環境状態のうちの１つまたは複数を検出することができる。この環境のセンサー２３６は、センサーによって検知された情報を供給車両２０２の動きを調整するために使用することができる。例えば、環境センサー２３６が地面が湿っていると判定する場合は、供給車両制御器２０４は、物質供給車両２０２をよりゆっくりと移動するようにさせることができる。
【００３４】
各制御器２１６、２２０、２２４、２２８および供給車両制御器２０４の各センサー２３２、２３６は、（バス２４４と通信しているバス２４０として示される）１つまたは複数の通信バスを介して農業制御器２０８と通信している。この通信バス２４０、２４４は、有線または無線バスであることができる。
【００３５】
農業制御器２０８は、供給車両制御器２０４を介して（通信バス２４４を介して）供給車両についての情報を受け取り、散布器制御器２４８を介して（散布器制御器バス２５２を介して）散布器についての情報を受け取り、かつ農作物検知ヘッド２５４から（農作物検知ヘッドバス２５６を介して）農作物についての情報を受け取る。結果として、農業制御器２０８は、これらの制御器および農作物検知ヘッドからの情報を、（複数の）農作物に正しい量の物質を（例えば、所定量の時間中に）効率的に散布するために統合化することができる。
【００３６】
一実施形態では、この農業制御器２０８は、使用者が制御器２０８と対話するのを可能にするグラフィカル・ユーザー・インターフェース（ＧＵＩ）２６４を含む。一実施形態では使用者は、どの物質を選択し、かつ／または散布器２３５を介してどれくらい多くの物質が散布されるかを調整するためにＧＵＩを使用することができる。この農業制御器２０８は、使用者がメモリーカードを挿入でき、カードから／カードにデータを読み書きするのを可能にするメモリーカード読み取り／書き込み器２６８も含むことができる。この農業制御器２０８は、（以下でより詳細に説明するように）この農業制御器２０８が他の農業制御器と無線で通信するのを可能にする無線通信機器２７２も含むことができる。
【００３７】
その上、この農業制御器２０８は、物質散布器最適化エンジン２７６を含む。この物質散布器最適化エンジン２７６は、供給車両制御器２０４および散布器制御器２４８から受け取る情報に基づいて物質の散布を最適化する。この最適化エンジン２７６は、エンジン２７６が受け取る情報に基づいて供給車両の動きを調整する。この情報は、供給車両２０２が移動すべき動きの最適な経路を最適化エンジン２７６が決定することにも結果としてなることができる。別の実施形態では、この情報は、（例えば、地形内の傾斜を考慮して）動きの最適な経路をたどるときに、エンジンのジーゼル燃料消費を最小限にするために供給車両の動力変速装置に設定する最適な歯車を最適化エンジン２７６が決定することに結果としてなることができる。この最適化エンジン２７６は、物質の液体散布のために使用されている特定の散布噴霧チップまたはノズル・オリフィスに対して適切な噴霧パターンを維持するために、車両対地速度を所望の範囲内に維持することもできる。この最適化エンジン２７６は、供給車両２０２に異なる物質を異なる時間または量で供給させるようにすることもできる。
【００３８】
一実施形態では、この農業制御器２０８は、様々な制御器２０４、２４８および／または（複数の）農作物検知ヘッド２５４から受け取るデータを記録するためのデータロガー２８０を含む。使用者は、ＧＵＩ２６４を使用してこのデータを見ることができ、かつ／またはこのデータを編集することができる。このデータロガー２８０は、マイクロプロセッサーおよびメモリーを含むことができる。
【００３９】
図３は、本発明の一実施形態による、物質供給システムによって実施されるステップの流れ図である。供給車両は、農作物の田畑を横切って（または周りを）動き、農作物検知ヘッドが農作物の上をまたは近辺を動くことによって農作物データを集める。この供給車両（例えば、農業制御器）は、ステップ３０５で農作物検知ヘッドからこのデータを受け取る。一実施形態では、この農業制御器は、ステップ３０５で農作物検知ヘッドから受け取る農作物データに基づいて供給車両の動きを調整する。散布器は、ステップ３１５で農作物に物質を散布する。
【００４０】
この農業制御器は、ステップ３１５で散布器制御器から、例えば散布器の動作および物質の供給（例えば、どれくらいの多くの物質が供給されているか）に関するデータをさらに受け取る。この農業制御器は、農作物検知ヘッドから農作物データも受け取る。農業制御器は、（ステップ３１５の後で（または前に））同時にまたはいつか別の時間でのいずれかで、供給車両制御器から物質供給車両の速度および方向などのデータを受け取る（ステップ３２０に示す）。
【００４１】
次いでこの農業制御器は、ステップ３２５で受け取ったデータのいくつかまたは全てに基づいて、物質供給車両の動きを調整するための１つまたは複数の動き命令を伝達する。例えば、農業制御器は、供給車両の速度を変更する（例えば、経路の特定の点で供給車両を減速させる）あるいは供給車両の方向を変更するように決定することができる。
【００４２】
図４は、本発明の一実施形態による、物質供給システムの最適な経路を求めるために物質供給システムによって実施されるステップの流れ図を示す。この物質供給システム（すなわち、図１に示す散布器（および散布器制御器）および農作物検知ヘッドを有する物質供給車両）は、ステップ４０５で農作物を有する田畑を横切って（または沿ってまたは周りを）走行する（すなわち、所定の経路をたどる）。（複数の）農作物検知ヘッドは、田畑上のこれらの動きの間動作している。（複数の）農作物検知ヘッドは、ステップ４１０で田畑内の農作物データを収集し、このデータを農業制御器に伝達する。農業制御器は、ステップ４１０で（複数の）農作物検知ヘッドから受け取った農作物データを記憶する。次いで農業制御器は、ステップ４１５でこの物質供給システムが田畑の全ての区画をカバーしたかどうかを判定する。
【００４３】
一実施形態では、農業制御器はこの判定を（複数の）農作物検知ヘッドから受け取った農作物データを田畑の記憶されたマップと比較することによって行う。このマップは、例えば、田畑周りの１つまたは複数の以前の走行の結果であることができる。この比較に基づいて、農業制御器は、物質供給システムが走行を継続すべきかあるいはこのシステムが田畑の全ての領域上を通り過ぎたので停止するべきであるか判定する。一実施形態では、この農業制御器は、システムが全田畑上を通り過ぎたときシステムを停止させる。別法として、農業制御器は、物質供給システムの運転者に物質供給車両を停止させるようにメッセージを伝達することができる。
【００４４】
一実施形態では、この判定を行うために、農業制御器は、（複数の）農作物検知ヘッドからの農作物データならびに物質供給車両の重心の座標（Ｘ、Ｙ、およびＺ位置）に関するデータも受け取る。一実施形態では、上記で説明したＧＰＳ受信機および／またはハンドル操作制御器が、供給車両の重心のこの座標を判定し、農業制御器がこれらの座標を（複数の）農作物検知ヘッドから受け取る農作物データとともに、物質供給システムが全田畑をカバーしたかどうかを判定するために使用する。
【００４５】
一実施形態では、受け取られるデータは、特定のデータ・フォーマットに纏めることができる。例えば、この特定のデータ・フォーマットは、車両の位置、（複数の）農作物検知ヘッドによって獲得された測定値および／または光反射情報を含むことができる。
【００４６】
物質供給システムが全田畑をカバーしていなかった場合は、この工程はステップ４０５に戻り、物質供給車両は田畑周りの走行を続ける。しかしながら、物質供給システムが全田畑をカバーしている場合は、物質供給システムに対する最適な経路は、ステップ４２０で受け取られたデータから判定することができる。
【００４７】
一実施形態では、この農業制御器は、農作物要求マップおよび水遣りまたは栄養摂取の特別な処置を必要としない領域を取り囲む特定の形状線を発生させる。この形状線は、物質供給車両が通常移動する動きの線を物質を必要としない領域を迂回するように修正するために、農業制御器によって利用される。
【００４８】
図５は、本発明の一実施形態による、（地形内の傾斜を考慮した）動きの最適な経路をたどるときのエンジンのジーゼル燃料消費量を最小限にするために供給車両の動力変速装置に設定する最適なギアを求めるために、物質供給システムによって実施されるステップの流れ図を示す。
【００４９】
この物質供給車両は、ステップ５０５で農作物を有する田畑を横切って（または沿ってまたは周りを）走行する（すなわち、所定の経路をたどる）。ＸおよびＹ傾斜センサーは、田畑を横切った、沿った、または周りのこの動作中に機能している。
【００５０】
次いでこのＸおよびＹ傾斜センサーは、ステップ５１０で物質供給車両が横断する田畑内の全ての点での傾斜を収集し、かつ（例えば、データファイル内に）記録する。次いでこの農業制御器は、ステップ５１５で物質供給システムが田畑の全ての区画をカバーしたかどうか判定する。
【００５１】
一実施形態では、農業制御器は、この判定を傾斜センサーから受け取ったデータを田畑の記録されたマップと比較することによって行う。このマップは、例えば、田畑周りの（または横切ったまたは沿った）１つまたは複数の以前の走行の結果であることができる。この比較に基づいて、農業制御器は物質供給車両が走行を継続すべきかあるいはこのシステムが田畑の全ての領域上を通り過ぎたので停止すべきかを判定する。
【００５２】
一実施形態では、この判定を行うために、農業制御器は傾斜センサーからのデータならびに物質供給車両の重心の座標（例えば、ＸおよびＹ位置）に関するデータを受け取る。一実施形態では、農業制御器はこれらの座標を傾斜センサーから受け取ったデータとともに物質供給システムが全田畑をカバーしたかどうかを判定するために使用する。
【００５３】
一実施形態では、このデータは特定のデータ・フォーマットに纏めることができる。例えば、この特定のデータ・フォーマットは、車両の位置（Ｘ、Ｙ）、Ｘ軸に沿った傾斜、およびＹ軸に沿った傾斜を含むことができる。
【００５４】
次いで農業制御器は、ステップ５２０で田畑内の位置の傾斜および／または選択された動作速度に対して車両の燃料消費量を最小限にするように設定するための、供給車両の変速装置の最適なギアを求めるためにこのデータを解析する。一実施形態では、農業制御器はこのデータを解析し、制御器がギアのシフトを実施するように車両の変速装置制御器に送る特定の動き命令を発生させる。これは例えば、周期的にまたは連続的に行わせることができる。
【００５５】
別の実施形態では、田畑内の異なる傾斜を含むこのデータファイルは、他の農業制御器動作が傾斜のパターンを使用して同じ田畑上で実施する必要があるとき、再使用することができる。
【００５６】
図６は、本発明の一実施形態による、物質供給車両の最適な速度を判定するために物質供給システムによって実施されるステップの流れ図を示す。この物質供給システムは、ステップ６０５で農作物を有する田畑を横切って（または沿ってまたは周りを）走行する（すなわち、所定の経路をたどる）。（複数の）農作物検知ヘッドは、田畑上のこれらの動きの間動作している。（複数の）農作物検知ヘッドは、ステップ６１０で農作物データを収集しかつ記録し、この農作物データを農業制御器に伝達することができる。農業制御器はこの農作物データを、面積当りの容積の指標（例えば、ヘクタール当りのキログラム）での農作物栄養物必要量を求めるために使用する。
【００５７】
（複数の）農作物検知ヘッドからの農作物データの受け取り中、この農業制御器はセンサーから、車両速度および／または散布幅を求めることもできる。次いで農業制御器は、ステップ６２０で物質の最適量を供給するように車両速度を調整する（増速する、維持する、または減速する）ことができる。例えば、農業制御器は、粒状物質の適切な分配を制定するための最小または最大速度、固定されたオリフィスから分配されるときの液体物質の適切な噴霧パターンを維持するための最小または最大圧力、および／または散布が行われている幅および速度のままで適切な散布量を可能にするように車両速度を増速または減速することができる能力について判定することができる。
【００５８】
具体的な実施例として、この農業制御器は、（複数の）農作物の必要量が所与の速度での最大散布量より大きな散布量を要求するとき、供給車両制御器に供給車両を減速させるように動き命令を伝達することができる。結果として、この車両は散布量を効果的に増加させるように減速させられる。逆の筋書き（すなわち、（複数の）農作物の必要量が所与の速度での最小散布量より少ない散布量を要求するとき供給車両が増速される）も適用することができる。
【００５９】
農業制御器は、散布日時、時間および散布された物質ならびに車両速度などの物質特性の記録を散布の記録として役立つように記録することができる。
【００６０】
図７は、本発明の一実施形態による、３つのゾーン７０４、７０８、７１２を有する田畑７００のブロック線図を示す。この物質供給システムは、例えば、４〜６バールの圧力の範囲内で満足すべき噴霧パターンを維持する固定散布噴霧ノズルを使用して液体物質を田畑７００内に散布する。
【００６１】
例えば、ゾーン１の７０４で、求められた散布量は６Ｘに設定され、車両速度はＹに設定され、かつ固定散布噴霧ノズルのところの圧力は５バールに設定される。しかしながら、ゾーン２の７０８は、異なる設定を有する。ゾーン２は、４Ｘの求められた散布量、２Ｙの車両速度、および５．５バールのところに固定散布噴霧ノズル圧力を有する。ゾーン３の７１２は、１Ｘの求められた散布量を有し、車両速度は３Ｙに増速され、一方固定された噴霧ノズルのところの圧力は５バールに維持される。
【００６２】
別の実施形態では、１つの物質供給車両の農業制御器は、（例えば、受信機および送信機を物質供給車両の１つまたは複数の他の農業制御器上に置くことによって作業田畑内に局地的に建設された）無線ネットワークと通信することができる。さらに、農業制御器の全ては、無線ネットワークを介して（遠隔基地または農業制御器のうちの１つに配置される）主コンピュータと通信することができる。この主コンピュータは、上記で説明したデータ記録を実施することができる。この主コンピュータは、農業制御器に／農業制御器から命令を伝達しかつ／または受け取ることもできる。この無線ネットワークは、（例えば、センサーをあまり使わないでそれらの制御機能の実施を容易にするために）１つの農業制御器によって測定されたまたは受け取られたデータの他の農業制御器との共有を可能にする。その結果、各農業制御器は、１つまたは複数の他の農業制御器および／または田畑からは離れた場所に配置される（または供給車両に内蔵される）主、外部コンピュータと通信することができる。
【００６３】
農業制御器間の通信は、例えば、（ある供給車両が第２の供給車両と対話する）ピアツーピア関係を介して、または（１つの供給車両が別の供給車両からの命令に従う）マスター‐スレーブ関係を介して行うことができる。
【００６４】
本明細書での説明は、本発明の一実施形態を実施するのに必要な制御器機能の点から見て本発明を説明している。これらのステップは、その構成がこの分野で良く知られている、適切にプログラムされたコンピュータによって実施することができる。適切なコンピュータは、例えば、良く知られたコンピュータ・プロセッサー、メモリー・ユニット、記憶装置、コンピュータ・ソフトウエア、および他の構成部品を使用して実施することができる。そのようなコンピュータの高レベル・ブロック線図を図８に示す。コンピュータ８０２は、コンピュータ８０２の全体動作を、そのような動作を定義するコンピュータプログラム命令を実行することによって制御するプロセッサー８０４を含む。このコンピュータプログラム命令は、記憶装置８１２（例えば、磁気ディスク）内に記憶され、コンピュータプログラム命令の実行が所望されるときメモリー８１０内に読み込むことができる。コンピュータ８０２は、（例えば、局所的にまたはネットワークを介して）他の機器と通信するための１つまたは複数のインターフェース８０６も含む。コンピュータ８０２は、使用者がコンピュータ８０２と対話するのを可能にする機器を代表する入力／出力器８０８（例えば、表示器、キーボード、マウス、スピーカー、ボタン、等）も含む。
【００６５】
当業者は、実際のコンピュータの実施は他の構成部品も同様に含むであろうこと、かつ図８は説明の目的のためのそのようなコンピュータの構成部品のいくつかの高レベル表示であることを理解するであろう。さらに当業者は、本明細書で説明された処理ステップは、その回路がそのような処理ステップを実施するように具体的に構成される専用のハードウエアを使用しても実施できることを理解するであろう。別法として、これらの処理ステップは、ハードウエアおよびソフトウエアの様々な組み合わせを使用して実施することができる。また、これらの処理ステップは、コンピュータ内で行うこともでき、または大きな機械の一部で行うこともできる。
【００６６】
前述の詳細な説明は、あらゆる点で説明的かつ例示的であり、限定的なものではないことを理解すべきであり、本明細書で開示される本発明の範囲は、詳細な説明から決定されるべきではなく、そうではなく特許法によって許される全幅に従って解釈されるときの特許請求の範囲から決定されると理解すべきである。本明細書で示されかつ説明された実施形態は、本発明の原理の単なる例示であり、当業者は、本発明の範囲および趣旨から逸脱することなく様々な改変を実施することができることを理解すべきである。当業者は、本発明の範囲および趣旨から逸脱することなく様々な他の特徴の組み合わせを実施することができる。
【図１】
2010517567.tif 000003
【図２】
2010517567.tif 000004
【図３】
2010517567.tif 000005
【図４】
2010517567.tif 000006
【図５】
2010517567.tif 000007
【図６】
2010517567.tif 000008
【図７】
2010517567.tif 000009
【図８】
2010517567.tif 000010
【国際調査報告】
2010517567.tif 000011
2010517567.tif 000012
2010517567.tif 000013